(57)【要約】【課題】スピーカにおけるスピーカユニットの保護と再生音質の劣化回避とを両立させる。【解決手段】  複数のスピーカユニットと、各々の放音面が並ぶように複数のスピーカユニットを収納するキャビネットと、各スピーカユニットの放音面を覆うように前記キャビネットに取り付けられたスピーカネットと、を有し、スピーカネットは、各スピーカユニットの放音面を取り囲む形状に形成されたフレームであって、キャビネットの表面との間に所定の幅の隙間が空くようにキャビネットに取り付けられるフレームと、各スピーカユニットの放音面を覆うようにフレームに貼り付けられるシート状部材とからなり、フレームには、上記隙間のフレームの外周方向の少なくとも一部を塞ぐ側壁がフレームの外周方向に沿って設けられていることを特徴とするスピーカを提供する。【選択図】図４
2015080140.tif 000002
【特許請求の範囲】
【請求項１】
スピーカユニットと、
前記スピーカユニットを収納するキャビネットと、
前記スピーカユニットの放音面を覆うように前記キャビネットまたは前記スピーカユニットに取り付けられるスピーカネットと、を有し、
前記スピーカネットは、
前記スピーカユニットの放音面を取り囲むように形成されたフレームであって、前記キャビネットの表面との間に所定の幅の隙間が空くように前記キャビネットまたは前記スピーカユニットに取り付けられるフレームと、
前記スピーカユニットの放音面を覆うように前記フレームに貼り付けられるシート状部材と、により構成されており、
前記隙間の外部空間への開口部の前記フレームの外周方向の少なくとも一部を塞ぐ側壁が設けられている
ことを特徴とするスピーカ。
【請求項２】
前記フレームの外周は前記多角形状に形成されており、
前記フレームの外周を形成する辺を互いに隣り合う辺の組、または互いに対向する辺の組にグループ分けした場合における少なくとも１つの組に属する辺のうちの一方の辺の少なくとも一部に沿って前記側壁が設けられている
ことを特徴とする請求項１に記載のスピーカ。
【請求項３】
複数のスピーカユニットと、
各々の放音面が並ぶように前記複数のスピーカユニットを収納するキャビネットと、
前記複数のスピーカユニットの各々の放音面を覆うように前記キャビネットまたは前記複数のスピーカユニットの何れかに取り付けられるスピーカネットと、を有し、
前記スピーカネットは、
前記複数のスピーカユニットの各々の放音面を取り囲むように形成されたフレームであって、前記キャビネットの表面との間に所定の幅の隙間が空くように前記キャビネットまたは前記複数のスピーカユニットの何れかに取り付けられるフレームと、
前記複数のスピーカユニットの各々の放音面を覆うように前記フレームに貼り付けられるシート状部材と、により構成されており、
前記隙間の外部空間への開口部の前記フレームの外周方向の少なくとも一部を塞ぐ側壁が設けられている
ことを特徴とするスピーカ。
【請求項４】
前記側壁は、前記フレームのうち前記複数のスピーカユニットのうちの少なくとも１つの放音面を取り囲む部分に設けられていることを特徴とする請求項３に記載のスピーカ。
【請求項５】
スピーカユニットを収納するキャビネットまたは前記スピーカユニットに前記スピーカユニットの放音面を覆うように取り付けられるスピーカネットであって、
前記スピーカユニットの放音面を取り囲むように形成されたフレームであって、前記キャビネットの表面との間に所定の幅の隙間が空くように前記キャビネットまたは前記スピーカユニットに取り付けられるフレームと、
前記スピーカユニットの放音面を覆うように前記フレームに貼り付けられるシート状部材と、
前記フレームの外周に沿って設けられた側壁であって、前記隙間の外部空間への開口部の前記フレームの外周方向の少なくとも一部を塞ぐ側壁と、
を有することを特徴とするスピーカネット。
【発明の詳細な説明】
【技術分野】
【０００１】
この発明は、スピーカにおけるスピーカユニットの保護および美観向上の実現と合わせ音質の調整にも寄与する技術に関する。
【背景技術】
【０００２】
一般に流通しているスピーカには、美観の向上およびスピーカユニット（ドライバとも言う）の保護のために、スピーカユニットの放音面を覆い隠すスピーカネットが取り付けられていることが多い。例えば、直方体状のキャビネットにスピーカユニットを１つだけ収めたスピーカの場合、スピーカユニットの放音面を取り囲むようにキャビネットの外周に沿ってロの字状に形成されたフレームと当該放音面を覆い尽くすようにフレームの開口部に貼り付けられるシート状部材（例えば、金属メッシュやサランネット、布など）とにより構成されたスピーカネットが取り付けられている、といった具合である。このようなスピーカネットを取り付けることでユーザの指がスピーカユニットに直接触れることが回避され、スピーカユニットの保護が図られる。また、シート状部材の素材や質感、色彩を工夫することで美観の向上が図られる。さらに、ウーファなどの大きなスピーカユニットが直接ユーザの目に触れることが回避され、ユーザに与える威圧感を軽減できるといった効果もある。
【先行技術文献】
【特許文献】
【０００３】
【特許文献１】特開平３−２９２０９７号公報
【発明の概要】
【発明が解決しようとする課題】
【０００４】
このようにスピーカネットは、美観の向上およびスピーカユニットの保護等の重要な役割を担っているのであるが、ユーザの耳に届く音の音質を低下させるといったマイナス面もある。具体的には、スピーカネットを装着した状態では、スピーカネットを取り外した状態に比較して高音域の一部の周波数帯域の音圧が大きく落ち込み、低音域も詰まったような聴感になってしまう、といった具合である。このため、音質を重視するユーザの中にはスピーカネットを外してスピーカを使用する者もいる。しかし、スピーカネットを取り外してしまうと、スピーカユニットの保護が不十分となり好ましくない。
【０００５】
本発明は以上に説明した課題に鑑みて為されたものであり、スピーカにおけるスピーカユニットの保護と再生音の音質の劣化回避とを両立させることを可能にする技術を提供することを目的とする。
【課題を解決するための手段】
【０００６】
上記課題を解決するために本発明は、スピーカユニットと、前記スピーカユニットを収納するキャビネットと、前記スピーカユニットの放音面を覆うように前記キャビネットまたは前記スピーカユニットに取り付けられるスピーカネットと、を有し、前記スピーカネットは、前記スピーカユニットの放音面を取り囲むように形成されたフレームであって、前記キャビネットの表面との間に所定の幅の隙間が空くように前記キャビネットまたは前記スピーカユニットに取り付けられるフレームと、前記スピーカユニットの放音面を覆うように前記フレームに貼り付けられるシート状部材と、により構成されており、前記隙間の外部空間への開口部の前記フレームの外周方向の少なくとも一部を塞ぐ側壁が設けられていることを特徴とするスピーカ、を提供する。例えば、フレームが多角形状に形成されている場合には、フレームの外周を形成する辺を互いに隣り合う辺の組、または互いに対向する辺の組にグループ分けした場合における少なくとも１つの組に属する一対の辺のうちの一方の辺の少なくとも一部に沿って側壁を設けるようにすれば良い。
【０００７】
スピーカネットを有する従来のスピーカにおいては、スピーカネットのフレームとキャビネットの表面との間にできる隙間により上記音質劣化が引き起こされていたことが本願発明者の行った実験により明らかとなった。詳細については本発明の実施形態の説明において明らかにするが、従来のスピーカにおいては、スピーカ側面における上記隙間の外部空間への開口部付近で音響インピーダンスが急激に変化する。このため、スピーカユニットから放射された音の開口端反射が発生し、この反射音とスピーカユニットからの直接音とが重なることで、スピーカ正面における再生音の周波数特性にディップやピークが生じ、音質低下が発生していたのである。本発明によれば、上記側壁によって剛壁反射された反射音と、当該側壁の設けられている辺に隣あう辺または側壁の設けられている辺と対向する辺の部分における開口端反射による反射音とが互いに打消し合い、上記音質劣化を和らげることができる。また、上記スピーカネットを取り付けることでスピーカユニットの保護が図られることは言うまでもない。このように本発明によれば、スピーカユニットの保護等のスピーカネット本来の役割を果たさせつつ、再生音質の劣化を回避することが可能になる。
【０００８】
なお、特許文献１では、スピーカネット（特許文献１ではスピーカグリル）のフレームとキャビネットの表面との間にできる隙間により音質劣化が引き起こされることを示唆する記載がある。しかし、特許文献１では、どのようなメカニズムで音質劣化が引き起こされるのかまでは明確にされておらず、上記開口端反射による反射波を相殺することで音質の劣化を回避する構成は記載も示唆もされていない。つまり、特許文献１に開示の発明と本願発明とは全く異なる発明である。
【０００９】
また、本発明の別の態様としては、キャビネットに複数のスピーカユニットを収めたスピーカへの適用が考えられる。具体的には、複数のスピーカユニットと、各々の放音面が並ぶように前記複数のスピーカユニットを収納するキャビネットと、前記複数のスピーカユニットの各々の放音面を覆うように前記キャビネットまたは前記複数のスピーカユニットの何れかに取り付けられたスピーカネットと、を有し、前記スピーカネットは、前記複数のスピーカユニットの各々の放音面を取り囲むように形成されたフレームであって、前記キャビネットの表面との間に所定の幅の隙間が空くように前記キャビネットまたは前記複数のスピーカユニットの何れかに取り付けられるフレームと、前記複数のスピーカユニットの各々の放音面を覆うように前記フレームに貼り付けられるシート状部材と、により構成されており、前記隙間の外部空間への開口部の前記フレームの外周方向の少なくとも一部を塞ぐ側壁が設けられていることを特徴とするスピーカ、を提供するのである。このような態様によっても、スピーカにおけるスピーカユニットの保護と再生音質の劣化回避とを両立させることが可能になる。
【００１０】
ここで、複数のスピーカユニットを有するスピーカに本発明を適用する場合には、予め定められた周波数より高い周波数の音を再生するスピーカユニット（例えばツイータ）の放音面を取り囲む部分の少なくとも一部に上記側壁を設けることが好ましい。
【００１１】
また、上記課題を解決するために本発明は、スピーカユニットを収納するキャビネットまたは前記スピーカユニットに前記スピーカユニットの放音面を覆うように取り付けられるスピーカネットであって、前記スピーカユニットの放音面を取り囲むように形成されたフレームであって、前記キャビネットの表面との間に所定の幅の隙間が空くように前記キャビネットまたは前記スピーカユニットかに取り付けられるフレームと、前記スピーカユニットの放音面を覆うように前記フレームに貼り付けられるシート状部材と、前記フレームの外周に沿って設けられた側壁であって、前記隙間の外部空間への開口部の前記フレームの外周方向の少なくとも一部を塞ぐ側壁と、を有することを特徴とするスピーカネット、を提供する。従来のスピーカネットに代えて本発明のスピーカネットを取り付けることによっても、スピーカユニットの保護等と再生音質の劣化回避とを両立させることが可能になる。
【図面の簡単な説明】
【００１２】
【図１】スピーカネットを構成するフレームおよびシート状部材が音質に与える影響を検証する実験の実験結果を示す図である。
【図２】フレームが音質に与える影響についての考察を説明する図である。
【図３】フレームがある場合とフレームがない場合の空間音圧分布を示す図である。
【図４】本発明の一実施形態のスピーカの構成例を示す図である。
【図５】同実施形態のメカニズムを説明するための図である。
【図６】同実施形態の効果を説明するための図である。
【図７】本発明の変形例を説明するための図である。
【発明を実施するための形態】
【００１３】
以下、図面を参照しつつ、本発明の実施形態について説明する。
（Ａ：音質劣化の原因の特定）
前述したようにスピーカのスピーカネットは、フレームとシート状部材とにより構成されている。ここで問題となるのは、スピーカネットによる音質劣化は、主にフレームによって引き起こされるのか、それともシート状部材によって引き起こされるのか、或いは両者の相互作用によって引き起こされるのかがそのメカニズムを含めて充分に解明されている訳ではない、という点である。この点を解明するため、本願発明者は以下の実験を行った。
【００１４】
すなわち、本願発明者は、（Ａ）スピーカネットを取り外したスピーカを無響室に設置して音を放音させた場合、（Ｂ）キャビネットにフレームのみを取り付けた（すなわち、スピーカネットからシート状部材を除いた物を取り付けた）スピーカを無響室に設置して音を放音させた場合、（Ｃ）スピーカネットの装着されたスピーカを無響室に設置して音を放音させた場合の各々について、周波数特性を計測する実験を行った。なお、上記（Ａ）〜（Ｃ）の各場合において、スピーカの放音面からスピーカの指向軸方向に１．５ｍの距離を隔てた位置にマイクロホンを設置してスピーカの再生音を収音して周波数特性を算出した。
【００１５】
図１（ａ）には、上記（Ａ）、（Ｂ）、および（Ｃ）の各場合において計測された周波数特性を表すグラフ曲線が描画されている。図１（ａ）におけるグラフＧＡ０１（図１（ａ）では実線で描画）は（Ａ）スピーカネットを取り外した場合の周波数特性のグラフである。図１（ａ）におけるグラフＧＢ０１（図１（ａ）では、破線で描画）は（Ｂ）フレームのみを取り付けた場合の周波数特性のグラフである。そして、図１（ａ）におけるグラフＧＣ０１（図１（ａ）では一点鎖線で描画）は（Ｃ）スピーカネットを装着した場合の周波数特性のグラフである。
【００１６】
グラフＧＢ０１とグラフＧＣ０１とを比較すれば明らかなように、シート状部材の有無は周波数応答にさほど影響を与えていないことが判る。これに対して、グラフＧＢ０１およびグラフＧＣ０１には、７ｋＨｚ付近の周波数領域においてグラフＧＡ０１には現れていないピークやディップが現れている。図１（ｂ）は７ｋＨｚ〜１０ｋＨｚ付近の周波数応答の拡大図であり、グラフＧＢ０１およびグラフＧＣ０１とグラフＧＡ０１との差が明確に把握される。
【００１７】
次いで、本願発明者は、７ｋＨｚの周波数の音について、スピーカユニットの指向軸方向を０°方向としマイクロホンの設置位置を時計回りに順次変えつつ収音させることで指向特性を計測した。図１（ｃ）は、この計測結果を示す図である。図１（ｃ）におけるグラフＧＡ０２は（Ａ）スピーカネットを取り外した場合の指向特性のグラフである。図１（ｃ）におけるグラフＧＢ０２は（Ｂ）フレームのみを取り付けた場合の指向特性のグラフである。そして、図１（ｃ）におけるグラフＧＣ０２は（Ｃ）スピーカネットを装着した場合の指向特性のグラフである。図１（ｃ）を参照すれば明らかように、指向特性においても、図１（ａ）に示す周波数特性と同様の傾向（すなわち、フレームに起因する特性の乱れ）が現れている。以上の実験結果から、本願発明者は、スピーカネットを装着した場合の音質の劣化は、主にフレームによって引き起こされていると結論付けた。
【００１８】
（Ｂ：音質劣化の発生メカニズムの考察）
次いで、本願発明者はフレームによる音質低下がどのようにして生じるのかについて考察した。図２は当該考察を説明するための図であり、スピーカユニットから放射される音波の伝搬状況を模式化した図である。なお、図２では、図面が煩雑になることを避けるためシート状部材の描画を省略した。図２に示すように、スピーカユニット１４から放射された音波は球面状に広がりつつ当該スピーカユニットの指向軸Ｄ方向へと伝搬して行く（図２では、スピーカユニット１４により放射された直接音の波面および伝搬方向を実線で描画）。以下、スピーカユニット１４の指向軸Ｄが指す方向を「スピーカ正面」と呼び、これに直交する方向を「スピーカ側面」と呼ぶ。
【００１９】
スピーカにスピーカネットが装着されていると、スピーカユニット１４から放射された音波は、スピーカのキャビネット１２の表面とフレーム２２における当該表面に対向する面との間の空間（すなわち、キャビネット表面とフレームとの間にできる幅数ｍｍ〜十数ｍｍの隙間）ＧＡＰへと進入する。図２に示すように、この隙間はスピーカ側面の空間に向けて開口しており、この隙間へ進入した音波は、この開口端Ｂからスピーカ側面の空間へ向けて放射される。この開口端Ｂでは音響インピーダンスが大幅に変動するため、所謂開口端反射が発生する。上記開口端反射による反射音（図２では、破線で描画）は、上記隙間ＧＡＰへ進入した音波とは逆向きに伝搬してスピーカ正面の空間へ放射され、スピーカユニット１４からの直接音と重なる。
【００２０】
上記反射音は開口端反射によるものであるため、その位相は直接音に比較して半波長分だけずれている。このため、スピーカ正面の空間では音響モードのような腹・節を持つ音圧分布（図３（ａ）参照）が生じると考えられる。そして、このように音圧分布に起因して上記ディップやピークが現れると考えられる。フレーム２２を装着しない場合には、上記開口端反射が発生することはなく、スピーカ正面の空間における音圧は、図３（ｂ）に示すように、スピーカユニット１４の指向軸Ｄを中心としてキャビネット端部に向かうにつれて単調に減少すると考えられるからである。なお、本出願人の行ったシミュレーションによれば、スピーカ正面の空間において音響モードのような腹・節を持つ音圧分布が発生していることが確かめられた。以上の実験結果、考察およびシミュレーション結果より、本願発明者は、「スピーカのキャビネット１２とフレーム２２との隙間の外部空間への開口端において発生する開口端反射による反射波と直接音との干渉により、音響モードのような音圧分布が生じることによって音質の低下が引き起こされる」と結論付けた。
【００２１】
（Ｃ：実施形態）
次いで、本発明の実施形態について図面を参照しつつ説明する。
図４（ａ）は、本発明の一実施形態のスピーカの斜視図である。なお、図４（ａ）では、スピーカネットを取り外した状態のスピーカが図示されている。本実施形態のスピーカは、中空の直方体状のキャビネット１２の１つの面にスピーカユニット１４を設置して構成されている。キャビネット１２においてスピーカユニット１４が設置されている面の四隅には、スピーカネットを装着するための孔（スピーカネットの裏面に設けられた脚部が挿入される孔）１６が設けられている。このスピーカの正面には、フレーム２２にシート状部材２４を貼り付けたスピーカネット２０（図４（ｂ）参照）が装着される。
【００２２】
図４（ｂ）は、スピーカネット２０を装着した状態の上記スピーカの正面図であり、図４（ｃ）は同スピーカの左側面図、図４（ｄ）は同スピーカの底面図である。なお、同スピーカの右側面図は上記底面図と同一であるため図示を省略し、同平面図は左側面図と同一であるため図示を省略した。前掲図４（ａ）に示すようにキャビネット１２のスピーカユニット１４の装着される面は四角形状に形成されており、フレーム２２の外周も当該四角形状に形成されている（図４（ｂ）参照）。フレーム２２の裏面（キャビネット１２におけるスピーカユニット１４の設置面と対向する面）の四隅には、スピーカネット２２をキャビネット１２に装着するための脚部２６が設けられている。スピーカネット２２は、脚部２６を孔１６に嵌め込むようにしてキャビネット１２に装着される。図４（ｃ）に示すように、スピーカネット２０は、数ｍｍ〜十数ｍｍの隙間ＧＡＰが空くようにキャビネット１２に装着される。
【００２３】
本実施形態では、フレーム２２の外周を形成する４つの辺を互いに対向する辺の組にグループ分けした場合における各組に属する一対の辺のうちの一方に上記隙間ＧＡＰの外部空間への開口部を塞ぐ側壁２８が設けられている。より詳細に説明すると、図４（ｃ）および図４（ｄ）に示すように、本実施形態では、底面側と平面側の辺のうちの前者、および左側面側と右側面側の辺のうちの後者に沿って、上記開口部を塞ぐように側壁２８が設けられている。この側壁２８は、剛性を有する素材により上記開口部と同じ高さ（すなわち、フレーム２２とキャビネット１２との間の間隔に等しい高さ）に形成されている。なお、側壁２８をフレーム２２と一体成型しても良い。本実施形態では、互いに対向する辺の一方に側壁２８を設けて上記開口部を塞ぐことで、音質の低下が和らげられる。その理由は以下の通りである。
【００２４】
図５は、本実施形態のメカニズムを説明するための図であり、図４（ｃ）におけるＸＸ´線断面図を模式化した図である。図５に示すようにスピーカユニット１４から放射された音波（図５では実線で表記）は、フレーム２２とキャビネット１２の表面との間の隙間ＧＡＰへと伝搬し、上記側壁２８の設けられていない方の隙間では外部空間への開口部において開口端反射が発生する。図５では、この開口端反射による反射波が破線で描画されている。これに対して、側壁２８の設けられている方の隙間では当該側壁２８によって剛壁反射が発生する。図５では、この剛壁反射による反射波が一点鎖線で描画されている。開口端反射による反射波と剛壁反射による反射波とでは位相が半波長分だけずれている。したがって、スピーカユニット１４の指向軸（図５では二点鎖線で表記）Ｄ上では上記剛壁反射による反射波と開口端反射による反射波とは互いに打消し合う。このため、本実施形態では、上記開口端反射による音質劣化が和らげられるのである。
【００２５】
図６は、本実施形態の効果を示す図である。図６には、スピーカネットを装着していないスピーカの周波数特性を示すグラフＧＡ０３（図６における実線のグラフ）、側壁２８を設けていないスピーカ（換言すれば、従来のスピーカネットの装着されたスピーカ）周波数特性を示すグラフＧＢ０３（図６における破線のグラフ）、および本実施形態のスピーカの周波数特性を示すグラフＧＣ０３（図６における一点鎖線のグラフ）が描画されている。１ｋＨｚ〜１０ｋＨｚにおけるグラフＧＡ０１、ＧＢ０３およびＧＢ０３を比較すれば明らかように、本実施形態によれば従来型のスピーカに比較して３〜６ｋＨ付近のピークおよびディップが緩やかになっており、音質の劣化が和らげられていることが判る。
【００２６】
以上説明したように、本実施形態によれば再生音質の劣化を回避することができる。また、フレーム２２に貼り付けられたシート状部材２４によってスピーカユニット１４の保護が図られることは言うまでもない。つまり、本実施形態によれば、スピーカユニット１４の保護と再生音質の劣化回避とを両立させることが可能になる。
【００２７】
（Ｄ：変形）
以上本発明の一実施形態について説明したが、この実施形態に以下の変形を加えても勿論良い。
（１）上記実施形態では、四角形状の外周を有するフレームの互いに対向する辺のうちの一方に、隙間ＧＡＰの外部空間への開口部を塞ぐ側壁２８を設ける場合について説明したが、互いに隣あう辺のうちの一方に側壁２８を設けても良い。図７（ａ）に示す例では、左側面側の辺と平面側の辺のうちの後者に沿って側壁２８（図７（ａ）ではハッチングで側壁２８が表されている。以下、図７（ｂ）〜図７（ｅ）においても同様）を設け、さらに、右側面側の辺と底面側の辺のうちの前者に沿って側壁２８を設ける場合について例示されている。また、フレームの外周を形成する各辺を互いに対向するもの同士（或いは互いに隣り合うもの同士）でグループ分けし、このようにして形成されるグループのうちの何れか１つ属する一対の辺のうちの一方に沿って側壁２８を設けても良い。例えば、図７（ｂ）に示す例では、フレームの外周を形成する辺のうち右側面側の辺（左側面側の辺と対にした場合の一方、または平面（或いは底面）側の辺と対にした場合の一方）に沿って側壁２８を設ける場合について例示されている。
【００２８】
また、側壁２８によってフレームとキャビネットとの間の隙間の外部空間への開口部を完全に塞ぐのではなく、当該開口部の上記フレームの外周方向の一部を塞ぐように当該開口部と同じ高さの側壁２８を設けても良い。例えば、図７（ｃ）に示すように側面に沿った長さが開口部よりも短い側壁２８を設ける態様や図７（ｄ）に示すように側面に沿った長さが開口部よりも短い複数の側壁２８を破線状に設ける態様が考えられる。要は、開口部のフレームの外周方向の少なくとも一部を塞ぐように側壁２８が設けられていれば良い。また、キャビネットの形状は直方体状に限定されるものではなく、正四面体などの錐体状であっても良い。例えば、正四面体状のキャビネットを用いる場合には、スピーカ取り付け面の形状は正三角形となる。この場合、図７（ｅ）に示すように、正三角形状のフレームの外周を形成する辺のうちの一つに沿って側壁２８を設けるようにすれば良い。また、キャビネットにおいてスピーカユニットの取り付けられる面の形状とは無関係にフレームの外周を多角形状に形成しておき、フレームの外周を形成する辺を互いに隣り合う辺の組、または互いに対向する辺の組にグループ分けした場合における少なくとも１つの組に属する辺のうちの一方の辺の少なくとも一部に沿って側壁を設けるようにしても良い。
【００２９】
（２）上記実施形態では、スピーカユニットを収納するキャビネットに上記実施形態の特徴を顕著に示すフレームが取り付けられていたが、当該スピーカユニットに当該フレームを取り付けるようにしても良い。また、上記実施形態ではキャビネットに１つのスピーカユニットを収納してなるスピーカへの本発明の適用例を説明したが、キャビネットに放音面を並べて複数のスピーカユニットを収納したスピーカに本発明を適用しても良い。すなわち、複数のスピーカユニットと、各々の放音面が並ぶように複数のスピーカユニットを収納するキャビネットと、当該複数のスピーカユニットの各々の放音面を覆うように上記キャビネットまたは上記複数のスピーカユニットの何れかに取り付けられるスピーカネットと、を有し、当該スピーカネットは、複数のスピーカユニットの各々の放音面を取り囲むように形成されたフレームであって、上記キャビネットの表面との間に所定の幅の隙間が空くように上記キャビネットまたは上記複数のスピーカユニットの何れかに取り付けられるフレームと、上記複数のスピーカユニットの各々の放音面を覆うように上記フレームに貼り付けられるシート状部材と、により構成されており、上記隙間の外部空間への開口部の上記フレームの外周方向の少なくとも一部を塞ぐ側壁が上記フレームの外周に沿って設けられていることを特徴とするスピーカ、を提供しても良い。
【００３０】
ここで、上記複数のスピーカユニットは再生音域が全て同じものであっても良く、また、各々固有の再生音域を有するものであっても良い。後者の場合、複数のスピーカユニットのうちの少なくとも１つの放音面を取り囲む部分に上記側壁を設けるようにすれば良い。例えば上記複数のスピーカユニットに、５ｋＨｚ以上の周波数帯域の再生を担当するツイータが含まれている場合には、当該ツイータの放音面を取り囲む部分に上記側壁を設けるといった具合である。前述したようにツイータの再生帯域において音質劣化が顕著に表れると考えられるからである。
【００３１】
（３）また、別の好ましい態様としては、スピーカユニットの放音面を取り囲むように形成されたフレームであって、キャビネットの表面との間に所定の幅の隙間が空くようにキャビネットまたはスピーカユニットに取り付けられるフレームと、スピーカユニットの放音面を覆うようにフレームに貼り付けられるシート状部材とにより構成され、フレームの外周に沿って設けられた側壁であって、上記隙間の外部空間への開口部の上記フレームの外周方向の少なくとも一部を塞ぐ側壁が設けられたスピーカネットを単独で提供する態様が考えられる。例えば、あるスピーカに装着可能なスピーカネットとして、シート状部材の素材、質感或いは色彩が異なる複数種類のスピーカネットを市場に流通させるのである。このような態様によれば、当該スピーカのユーザは、そのスピーカが置かれる部屋の雰囲気や他の家具類との調和がとれるスピーカネットを選択して使用することができ、部屋全体の美観を統一することができる。
【符号の説明】
【００３２】
ＧＡ０１，ＧＢ０１，ＧＣ０１、ＧＡ０３，ＧＢ０３，ＧＣ０３…周波数応答のグラフ、ＧＡ０２，ＧＢ０２，ＧＣ０２…指向特性のグラフ、１２…キャビネット、１４…スピーカユニット、１６…孔、２０…スピーカネット、２２…フレーム、２４…シート状部材、２６…脚部、２８…側壁、ＧＡＰ…キャビネット表面とフレームの間の空間。
【図１】
2015080140.tif 000003
【図２】
2015080140.tif 000004
【図３】
2015080140.tif 000005
【図４】
2015080140.tif 000006
【図５】
2015080140.tif 000007
【図６】
2015080140.tif 000008
【図７】
2015080140.tif 000009